Podtech/llm-jp-corpus-v4-ja_patent huggingface dataset:
【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
医療装置において、
（ａ）柔軟な本体と、
（ｂ）前記本体の少なくとも一部に設けられた多孔性円柱状金属コーティングと、
を含み、
前記コーティングが、許容できない剥落を起こすことなく、前記医療装置の使用中に生じる歪みに耐えることができる、
前記医療装置。
【請求項２】
請求項１に記載の医療装置において、
（ａ）前記柔軟な本体が、少なくとも部分的に放射線透過性材料を含み、かつ
（ｂ）前記金属コーティングが、Ｔａコーティングを含み、
該Ｔａコーティングが、前記医療装置が放射線不透過性となるように十分な厚みを有し、かつ許容できない剥落を起こすことなく、前記医療装置の使用時の前記本体の屈曲で生じる歪みに耐えることができる、
前記医療装置。
【請求項３】
請求項２に記載の医療装置において、
前記コーティングの厚みは、およそ３μｍ〜１０μｍの範囲である、前記医療装置。
【請求項４】
請求項２に記載の医療装置において、
前記Ｔａコーティングは、物理蒸着法によって前記本体に施されている、前記医療装置。
【請求項５】
請求項４に記載の医療装置において、
前記物理蒸着法は、スパッタリング、陰極アーク蒸着（cathodic arc deposition）、または熱蒸着（thermal evaporation）からなる群から選択される１つを含む、前記医療装置。
【請求項６】
請求項２に記載の医療装置において、
前記Ｔａコーティング中に、時間とともに溶出する材料、
をさらに含む、前記医療装置。
【請求項７】
請求項１に記載の医療装置において、
（ａ）前記本体が、外層を有する弾性保形本体であり、かつ
（ｂ）前記コーティングが、該外層の少なくとも一部分に設けられた放射線不透過性コーティングであり、
該コーティングが、物理蒸着法によって施されている、
前記医療装置。
【請求項８】
請求項１に記載の医療装置において、
（ａ）前記本体が変形可能であり、
（ｂ）前記金属コーティングが、Ｔａコーティングを含む、
前記医療装置。
【請求項９】
請求項１に記載の医療装置において、
前記本体が、超弾性および形状記憶特性を有する材料を、少なくとも部分的に含む弾性保形本体である、
前記医療装置。
【請求項１０】
請求項１に記載の医療装置において、
前記コーティングが、金、プラチナ、タンタル、およびタングステンからなる群から選択される、前記医療装置。
【請求項１１】
請求項９に記載の医療装置において、
前記医療装置が生物学的血管内での使用のためのステントである、前記医療装置。
【請求項１２】
請求項９に記載の医療装置において、
前記コーティングが放射線不透過性コーティングである、前記医療装置。
【請求項１３】
請求項９に記載の医療装置において、
前記本体がニチノールを含む、前記医療装置。
【請求項１４】
請求項１に記載の医療装置において、
前記孔に薬物が導入される、前記医療装置。
【請求項１５】
請求項１に記載の医療装置において、
前記装置が腔内装置である、前記医療装置。
【請求項１６】
請求項１５に記載の医療装置において、
前記腔内装置が、カテーテル、ガイドワイヤまたはステントである、前記医療装置。
【請求項１７】
請求項１に記載の医療装置において、
前記装置が、移植後、時間とともに溶出する材料を前記コーティング中にさらに含む移植可能な装置である、前記医療装置。
【請求項１８】
請求項１６に記載の医療装置において、
前記腔内装置がステントである、前記医療装置。
【請求項１９】
請求項２に記載の医療装置において、
前記本体がニチノールを含む、前記医療装置。
【請求項２０】
請求項２に記載の医療装置において、
前記装置がステントである、前記医療装置。
【請求項２１】
医療装置にＴａ層を堆積させる方法において、
（ａ）少なくとも１つのＴａスパッタターゲットを含むスパッタコーティングシステムにおいて、不活性ガスの背景圧力を維持するステップと、
（ｂ）前記Ｔａターゲットに電圧を加えて、スパッタリングを起こすステップと、
（ｃ）所定時間スパッタリングして、所望の厚みのコーティングを形成するステップと、からなり、
前記Ｔａ層が、少なくとも８０％の可視スペクトル放射率を有する、
前記方法。
【請求項２２】
請求項２１に記載の方法において、
堆積の際の前記医療装置の平衡温度を、前記方法によって間接的に制御する、前記方法。
【請求項２３】
請求項２１に記載の方法において、
前記平衡温度は、１５０℃〜４５０℃の範囲である、前記方法。
【請求項２４】
請求項２１に記載の方法において、
前記方法の際に、前記医療装置に電圧を加える、前記方法。
【請求項２５】
請求項２４に記載の方法において、
前記電圧が初期高電圧を含み、第１の時間の間、前記医療装置を予備清浄する、前記方法。
【請求項２６】
請求項２５に記載の方法において、
前記初期高電圧は、３００Ｖ〜５００Ｖの範囲である、前記方法。
【請求項２７】
請求項２５に記載の方法において、
前記第１の時間は、１分〜２０分の範囲である、前記方法。
【請求項２８】
請求項２４に記載の方法において、
前記電圧は、第２の時間の間加えられる第２の低電圧を含む、前記方法。
【請求項２９】
請求項２８に記載の方法において、
前記低電圧は、１０Ｖ〜１００Ｖの範囲である、前記方法。
【請求項３０】
請求項２８に記載の方法において、
前記第２の時間が、１時間〜５時間の範囲である、前記方法。
【請求項３１】
請求項２１に記載の方法において、
前記不活性ガスは、Ａｒ、Ｋｒ、およびＸｅを含む群から選択される、前記方法。
【請求項３２】
請求項２１に記載の方法において、
前記電圧は、１μｍ／時間〜５μｍ／時間の堆積速度を生み出す、前記方法。
【請求項３３】
請求項２１に記載の方法において、
前記電圧は、直流である、前記方法。
【請求項３４】
請求項２１に記載の方法において、
前記電圧は、交流である、前記方法。
【請求項３５】
請求項２１に記載の方法において、
前記電圧は、パルスで加えられる、前記方法。
【請求項３６】
請求項２１に記載の方法において、
前記ターゲットは、円筒型である、前記方法。
【請求項３７】
請求項２１に記載の方法において、
前記ターゲットは、プレートである、前記方法。
【請求項３８】
請求項２１に記載の方法において、
前記Ｔａ層は、多孔質である、前記方法。
【請求項３９】
請求項３８に記載の方法において、
時間とともに溶出する材料を前記Ｔａ層の孔に導入するステップ、
をさらに含む、前記方法。
【請求項４０】
移植可能かつ柔軟な保形医療装置に金属層を堆積させる方法において、
（ａ）少なくとも１つの金属スパッタターゲットを含むスパッタコーティングシステムにおいて、不活性ガスの背景圧力を維持するステップと、
（ｂ）前記金属ターゲットに電圧を加えて、スパッタリングを起こすステップと、
（ｃ）前記装置上に所定時間スパッタリングして、所望の厚みのコーティングを形成するステップと、
を含む、前記方法。
【手続補正書】
【提出日】平成20年6月4日(2008.6.4)
【手続補正１】
【補正対象書類名】特許請求の範囲
【補正対象項目名】全文
【補正方法】変更
【補正の内容】
【特許請求の範囲】
【請求項１】
細胞外マトリックス（ＥＣＭ）分解を抑制する化合物の同定方法であって；
化合物を、配列番号２７〜５１及び２３２〜２９５からなる群から選択されるアミノ酸配列を含むポリペプチドと接触させること；及び
細胞外マトリックス（ＥＣＭ）分解に関係する化合物−ポリペプチド特性を測定することを含む、前記方法。
【請求項２】
前記ポリペプチドがインビトロ無細胞調製物内にある、請求項１記載の方法。
【請求項３】
前記ポリペプチドが哺乳動物細胞に存在する、請求項１記載の方法。
【請求項４】
前記特性が、前記ポリペプチドに対する前記化合物の結合親和性である、請求項１記載の方法。
【請求項５】
前記特性が、細胞外マトリックス（ＥＣＭ）分解の指標となる生化学的マーカーを産生する生物学的経路の活性化である、請求項３記載の方法。
【請求項６】
前記指標がＭＭＰ１である、請求項５記載の方法。
【請求項７】
前記ポリペプチドが、配列番号２７〜５１からなる群から選択されるアミノ酸配列を含む、請求項６記載の方法。
【請求項８】
前記化合物が、市販のスクリーニングライブラリーの化合物、及び配列番号２７〜５１及び２３２〜２９５からなる群から選択されるアミノ酸配列を含むポリペプチドと結合親和性を有する化合物からなる群から選択される、請求項１記載の方法。
【請求項９】
前記化合物がファージディスプレイライブラリー又は抗体断片ライブラリーのペプチドである、請求項２記載の方法。
【請求項１０】
アンチセンスポリヌクレオチド、リボザイム及び低分子干渉ＲＮＡ（ｓｉＲＮＡ）からなる群から選択される細胞外マトリックス（ＥＣＭ）分解を抑制する薬剤であって、配列番号１〜２５からなる群から選択される核酸配列の約１７から約３０の連続したヌクレオチドの天然ポリヌクレオチド配列と相補的であるか、又はそれから操作された核酸配列を含む、前記薬剤。
【請求項１１】
哺乳動物細胞のベクターが前記薬剤を発現する、請求項１０記載の薬剤。
【請求項１２】
前記ベクターがアデノウイルス、レトロウイルス、アデノ関連ウイルス、レンチウイルス、単純ヘルペスウイルス又はセンダイウイルスのベクターである、請求項１１記載の薬剤。
【請求項１３】
前記アンチセンスポリヌクレオチド及び前記ｓｉＲＮＡが、センス鎖に相補的な１７〜２５のヌクレオチドのアンチセンス鎖を含み、前記センス鎖が、配列番号１〜２５からなる群から選択される核酸配列の１７〜２５の連続したヌクレオチドから選択される、請求項１０記載の薬剤。
【請求項１４】
前記ｓｉＲＮＡが前記センス鎖をさらに含む、請求項１３記載の薬剤。
【請求項１５】
前記センス鎖が配列番号５２〜１７５からなる群から選択される、請求項１４記載の薬剤。
【請求項１６】
前記ｓｉＲＮＡが、前記センス鎖及び前記アンチセンス鎖を接続するループ領域をさらに含む、請求項１５記載の薬剤。
【請求項１７】
前記ループ領域が、配列番号２６で規定される核酸配列を含む、請求項１６記載の薬剤。
【請求項１８】
前記薬剤が、配列番号５２〜１７５からなる群から選択される核酸配列を含むアンチセンスポリヌクレオチド、リボザイム又はｓｉＲＮＡである、請求項１７記載の薬剤。
【請求項１９】
前記薬剤が、配列番号５２〜１７５からなる群から選択される核酸配列を含むアンチセンスポリヌクレオチド、リボザイム又はｓｉＲＮＡである、請求項１８記載の薬剤。
【請求項２０】
治療的有効量の請求項１０記載の薬剤を、医薬として許容し得る担体との混合物として含む、ＥＣＭ分解抑制医薬組成物。
【請求項２１】
細胞外マトリックス（ＥＣＭ）分解が関与する疾患を患っている、又はその疾患に感受性である対象における、細胞外マトリックス（ＥＣＭ）分解が関与する疾患の治療及び／又は予防のための、請求項２０記載の医薬組成物。
【請求項２２】
前記疾患が関節変性疾患である、請求項２１記載の医薬組成物。
【請求項２３】
前記疾患が関節リウマチである、請求項２１記載の医薬組成物。
【請求項２４】
細胞外マトリックス（ＥＣＭ）分解が関与する疾患の治療及び／又は予防のための医薬品の製造における、請求項１０から１９記載の薬剤の使用。
【請求項２５】
前記疾患が、関節の変性疾患及び炎症性疾患からなる群から選択される、請求項２４記載の使用。
【請求項２６】
前記疾患が関節リウマチである、請求項２４又は２５記載の使用。
【請求項２７】
請求項１０記載のマトリックスメタロプロテイナーゼ抑制剤を含む、異常なマトリックスメタロプロテイナーゼ活性を特徴とする病態の治療のための、医薬組成物。
【請求項２８】
請求項１０記載のマトリックスメタロプロテイナーゼ抑制剤を含む、ＭＭＰ１の異常な細胞発現が関与する疾患から選択される病態の治療のための、医薬組成物。
【請求項２９】
対象において細胞外マトリックス（ＥＣＭ）分解に関係する病的状態又はその病態に対する感受性を診断するための方法であって、前記対象から得られる生体試料中に存在する配列番号２７〜５１からなる群から選択されるアミノ酸配列を含むポリペプチドの第１の量を測定することと、前記第１の量を健康者集団で測定されるポリペプチド量の範囲と比較することとを含み、健康者で測定した量の範囲と比較した前記生体試料中のポリペプチドの量の増加が、前記病的状態の存在を示すものである、前記方法。
【手続補正書】
【提出日】平成20年6月17日(2008.6.17)
【手続補正１】
【補正対象書類名】特許請求の範囲
【補正対象項目名】全文
【補正方法】変更
【補正の内容】
【特許請求の範囲】
【請求項１】
ゲームの最中に少なくとも二つの所望の傾斜に沿ってユーザが安定して配置可能な電子プラットフォーム（１２０）を含む電子ゲームシステム（１０）であって、
前記プラットフォームが、記憶手段と表示装置（１００）とに接続された中央処理装置（２１０）を含み、
システム（１０）が、さらに、少なくとも一つのゲームパッド（１１０）と前記プラットフォーム（１２０）との間の信号伝播時間（５１０）から一つの位置を決定可能な手段を含み、
前記少なくとも一つの供給されたゲームパッドが、少なくとも一つの無線送信機（１４０）によって、ゲームプログラムの実行中に前記中央処理ユニットが認識する操作情報を提供し、  前記操作が、特に、表示装置（１００）に表示される仮想オブジェクト（１１１）の移動を制御するものであって、方向ボタンタイプの舵取り手段および／または空間における前記少なくとも一つの供給されたゲームパッドの移動によって発生し、この操作情報を、前記表示装置（１００）に対する前記少なくとも一つの供給されたゲームパッド（１１０）の位置と、電子ゲームプラットフォーム（１２０）の傾斜と、に応じて異なるコマンドに変換可能な変換装置を含むことを特徴とする電子ゲームシステム。
【請求項２】
さらに、プラットフォームに結合された、無線信号（５１０）の少なくとも３個の受信手段を含み、前記信号は、前記少なくとも３個の受信手段（１２１）にそれぞれ結合された少なくとも３個の観察点（Ｐ１）から前記ゲームパッドの位置を決定するために、前記ゲームパッドの無線送信機（１１５）から送信されることを特徴とする請求項１記載の電子ゲームシステム。
【請求項３】
前記受信手段（１２１）が、互いに最大距離のところに配置されることを特徴とする請求項２記載の電子ゲームシステム。
【請求項４】
さらに、一つの平面に対してプラットフォームの一つの傾斜を決定可能な手段（２００）を含むことを特徴とする請求項１乃至３のいずれか一項に記載の電子ゲームシステム。
【請求項５】
さらに、プラットフォームに結合される追加受信手段（Ｐ５）を含み、この追加受信手段が、プラットフォームにより決定される平面に対して、ゲームプラットフォームに結合される前記少なくとも３個の信号受信手段（１２１）の反対側に配置されることを特徴とする請求項１乃至４のいずれか一項に記載の電子ゲームシステム。
【請求項６】
さらに、磁気スクリーン（２４０）を含み、この磁気スクリーン（２４０）は、前記ゲームパッドと前記追加受信手段とが表示装置（１００）の反対側に配置されている場合、前記少なくとも一つの供給されたゲームパッド（１１０）が送信する無線信号を前記追加受信手段（Ｐ５）が受信できないように選択された平面に、延びていることを特徴とする請求項１乃至５のいずれか一項に記載の電子ゲームシステム。
【請求項７】
前記少なくとも一つのゲームパッド（１１０）が、空間におけるその移動に関する情報を発生および送信可能な手段（１１５）を含み、これらの情報が、ピッチング、ローリング、およびヨーイングに関するものであることを特徴とする請求項１乃至６のいずれか一項に記載の電子ゲームシステム。
【請求項８】
ピッチングおよびローリングに関する情報を発生可能な手段（１１５）が、加速度計、傾斜計、電子ジャイロスコープ、および二次元電子コンパスを含むグループ内で選択され、このヨーイングに関する情報を発生可能な手段（１１５）は磁気センサを含むことを特徴とする請求項７記載の電子ゲームシステム。
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
表示する情報を規定するマスクの後ろに装着される切換え可能なエレクトロルミネッセンス（ＥＬ）材料のバックライトを有するタイプのエレクトロルミネッセンス表示装置であって、
前記マスクは、表示する情報を規定するために切換え可能な物理的に安定した液晶（ＬＣ）材料の層(13)として構成され、
前記ＬＣマスクおよび前記ＥＬバックライトは、単一物として構成され、ＥＬ材料の層(16)は、ＬＣ材料の層(13)の上に直接／後ろに装着される層として形成されていることを特徴とするエレクトロルミネッセンス表示装置。
【請求項２】
背面電極層(20)が、保護膜で覆われている請求項１に記載のエレクトロルミネッセンス表示装置。
【請求項３】
前記表示装置は、少なくとも１対の電極(12,20)を含み、各対の電極(12,20)は、使用時、ＥＬ材料の層(16)とＬＣ材料の層(13)との両方に電場を生成するように配置されている請求項１に記載のエレクトロルミネッセンス表示装置。
【請求項４】
表示する情報を規定するマスクの後ろに装着される切換え可能なエレクトロルミネッセンス（ＥＬ）材料のバックライトを有するタイプのエレクトロルミネッセンス表示装置であって、
前記マスクは、表示する情報を規定するために切換え可能な物理的に安定した液晶（ＬＣ）材料の層(13)として構成され、
少なくとも１対の電極(12,20)を含み、各対の電極(12,20)は、前記ＬＣマスクおよび前記ＥＬバックライトが単一物として構成されるように、使用時、ＥＬ材料の層(16)とＬＣ材料の層(13)との両方に電場を生成するように配置されていることを特徴とするエレクトロルミネッセンス表示装置。
【請求項５】
前記ＬＣマスクおよび前記ＥＬバックライトを形成する単一物は、ＬＣ材料の層(13)とＥＬ材料の層(16)との間に設けられる絶縁性層間層(10)を含む請求項４に記載のエレクトロルミネッセンス表示装置。
【請求項６】
前記層間層(10)は、実質的に光学的に透明である請求項５に記載のエレクトロルミネッセンス表示装置。
【請求項７】
前記層間層(10)は、電気絶縁性である請求項５または６に記載のエレクトロルミネッセンス表示装置。
【請求項８】
前記少なくとも１対の電極の背面電極層(20)が、保護膜で覆われている請求項４〜７のいずれか１項に記載のエレクトロルミネッセンス表示装置。
【請求項９】
前記ＬＣマスクは、偏光子を必要とすることなく、必要に応じて前記バックライトによって出力された光を透過または遮断するように切り換えることができるＬＣ材料を含む請求項１〜８のいずれか１項に記載のエレクトロルミネッセンス表示装置。
【請求項１０】
前記ＬＣマスクは、カイラルネマチックＬＣ材料を含む請求項１〜９のいずれか１項に記載のエレクトロルミネッセンス表示装置。
【請求項１１】
使用時、前記ＬＣマスクが切り換わると反射率が変わる請求項１〜１０のいずれか１項に記載のエレクトロルミネッセンス表示装置。
【請求項１２】
前記ＬＣマスクは、電場が存在しない場合、光を吸収し、電場が存在すると光を透過させるよう構成されたＬＣ材料を含む請求項１〜１１のいずれか１項に記載のエレクトロルミネッセンス表示装置。
【請求項１３】
液晶材料の層(13)が透明導電基板上に形成され、前記基板に隣接しない前記液晶層(13)の裏面の上にエレクトロルミネッセンス材料の層(16)が形成されている請求項１〜１２のいずれか1項に記載のエレクトロルミネッセンス表示装置。
【請求項１４】
背面導電電極(20)をさらに含む請求項１３に記載のエレクトロルミネッセンス表示装置。
【請求項１５】
前記背面電極と前記エレクトロルミネッセンス材料との間に反射層(19)が設けられている請求項１４に記載のエレクトロルミネッセンス表示装置。
【請求項１６】
前記背面電極(20)は、選択してオンまたはオフを切り換えることができる液晶層(13)とエレクトロルミネッセンス層(16)の両方の複数の領域を規定するようにバターン化されている、請求項１４または１５のいずれかに記載のエレクトロルミネッセンス表示装置。
【請求項１７】
前記複数の領域が、前面電極としての透明導電電極(12)のひとつの領域を共有する請求項１６に記載のエレクトロルミネッセンス表示装置。
【請求項１８】
前記透明電極(12)が、選択してオンまたはオフを切り換えることができる液晶層(13)とエレクトロルミネッセンス層(16)の両方の複数の領域を規定するようにバターン化されている、請求項１4に記載のエレクトロルミネッセンス表示装置。
【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
複数の開いているブラウザ・インスタンスの記録を格納するための方法であって、
現在開いている複数のブラウザ・インスタンスを検出するステップであって、前記複数のブラウザ・インスタンスの各々が特定のネットワーク・アドレスにアクセスすることを特徴とするステップと、
前記複数のブラウザ・インスタンスをまとめて１つの選択可能なプロジェクト・ファイルとして保存するステップであって、前記選択可能なプロジェクト・ファイルを選択すると前記複数のブラウザ・インスタンスが同時に再開されることを特徴とするステップと
を含む、方法。
【請求項２】
前記複数のブラウザ・インスタンスの選択を受信するステップと、
前記複数のブラウザ・インスタンスの前記選択を、前記選択可能なプロジェクト・ファイルとしてのみ保存するステップと
をさらに含む、請求項１に記載の方法。
【請求項３】
前記複数のブラウザ・インスタンスの各々についてのウェブ・アドレスを前記選択可能なプロジェクト・ファイル中に保存するステップをさらに含む、請求項１または請求項２に記載の方法。
【請求項４】
前記複数のブラウザ・インスタンスの各々のコンテンツを前記選択可能なプロジェクト・ファイル中に保存するステップをさらに含む、請求項１から３のいずれか１項に記載の方法。
【請求項５】
前記複数のブラウザ・インスタンスを１つの選択可能なプロジェクト・ファイルとして保存する要求を、前記複数のブラウザ・インスタンス中の１つへの入力から受信するステップをさらに含む、請求項１から４のいずれか１項に記載の方法。
【請求項６】
前記選択可能なプロジェクト・ファイルを作成するステップをさらに含む、請求項１から５のいずれか１項に記載の方法。
【請求項７】
複数の開いているブラウザ・インスタンスの記録を格納するためのシステムであって、
現在開いている複数のブラウザ・インスタンスを検出するための手段であって、前記複数のブラウザ・インスタンスの各々が特定のネットワーク・アドレスにアクセスすることを特徴とする手段と、
前記複数のブラウザ・インスタンスをまとめて１つの選択可能なプロジェクト・ファイルとして保存するための手段であって、前記選択可能なプロジェクト・ファイルを選択すると前記複数のブラウザ・インスタンスが同時に再開されることを特徴とする手段と
を含む、システム。
【請求項８】
請求項１から６のいずれか１項に記載のすべてのステップをコンピュータに実行させる、コンピュータ・プログラム。
【手続補正書】
【提出日】平成20年5月21日(2008.5.21)
【手続補正１】
【補正対象書類名】特許請求の範囲
【補正対象項目名】全文
【補正方法】変更
【補正の内容】
【特許請求の範囲】
【請求項１】
メモリ・キャッシュ（１０５）についてコヒーレンシ動作を実行するメモリ・キャッシュ制御装置であって、メイン・メモリ（１０３）と関連した複数のアドレスを備えるアドレス・グループに関するアドレス・グループ指示を受け取る手段（３０１）を備えるメモリ・キャッシュ制御装置において、
１群のキャッシュ・ラインの各キャッシュ・ラインを順次に処理する処理手段（３０３）を備え、
当該処理手段（３０３）が、
キャッシュ・ラインがアドレス・グループのアドレスと関連するかどうかをマッチ判定基準を評価することにより決定する手段と、
前記マッチ判定基準に適合する場合前記キャッシュ・ラインについてコヒーレンシ動作を実行するコヒーレンシ手段と、
競合が前記コヒーレンシ動作と別のメモリ動作との間に存在するかどうかを決定する手段と、を備え、
前記コヒーレンシ手段が、競合が存在する場合前記コヒーレンシ動作を禁止するよう動作可能である
ことを特徴とするメモリ・キャッシュ制御装置。
【請求項２】
前記マッチ判定基準が、前記キャッシュ・ラインと関連したメイン・メモリ・アドレスが前記アドレス・グループに属するかどうかの評価を備える請求項１記載のメモリ・キャッシュ制御装置。
【請求項３】
前記アドレス・グループ指示が、前記メイン・メモリのメモリ・ブロックの開始アドレス及び終了アドレスを備え、
前記マッチ判定基準が、前記メイン・メモリ・アドレスが前記メモリ・ブロックに属するかどうかを決定することを備える
請求項２記載のメモリ・キャッシュ制御装置。
【請求項４】
前記開始アドレス及び終了アドレスが、仮想メモリ・アドレスである請求項３記載のメモリ・キャッシュ制御装置。
【請求項５】
前記のマッチ手段が、キャッシュ・ライン・タグ及びキャッシュ・ライン・インデックスに応答して前記メイン・メモリ・アドレスを決定するよう動作可能である請求項２から４のいずれか一項に記載のメモリ・キャッシュ制御装置。
【請求項６】
請求項１から５のいずれか一項に記載のメモリ・キャッシュ制御装置を備えるメモリ・キャッシュ・システム。
【請求項７】
プロセッサと、
メイン・メモリと、
前記プロセッサ及び前記メイン・メモリに結合されたキャッシュ・メモリと、
請求項１から５のいずれか一項に記載のメモリ・キャッシュ制御装置と
を備える処理システム。
【請求項８】
メモリ・キャッシュについてコヒーレンシ動作を実行する方法であって、メイン・メモリ（１０３）と関連した複数のアドレスを備えるアドレス・グループに関するアドレス・グループ指示を受け取るステップを備える、前記コヒーレンシ動作を実行する方法において、
１群のキャッシュ・ラインの各ラインを順次に処理するステップを備え、
当該処理するステップが、前記１群のキャッシュ・ラインの各キャッシュ・ラインに関して、
第１のキャッシュ・ラインが前記アドレス・グループのアドレスと関連するかどうかをマッチ判定基準を評価することにより決定するステップと、
前記マッチ判定基準に適合する場合前記第１のキャッシュ・ラインについてコヒーレンシ動作を実行するステップと、
競合が前記コヒーレンシ動作と別のメモリ動作との間に存在するかどうかを決定するステップと、
競合が存在する場合、前記のコヒーレンシ手段により前記コヒーレンシ動作を禁止するステップと、を備える
ことを特徴とするメモリ・キャッシュについてコヒーレンシ動作を実行する方法。
【請求項９】
請求項８記載の方法を実行するようプロセッサを制御するプロセッサ実行可能命令を格納する記憶媒体。
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
nを2より大きな整数として検知装置n個を有する二次元の容量性センサー装置であって：
前記n個の検知要素が伝導性で、ある第一軸に実質的に平行であり、前記n個の検知要素のそれぞれは、二次元空間の前記第一軸に沿った第一の位置を決定するために互いに重なり合うことが必要とされないよう位置しており、前記n個の検知要素に沿った種々の位置で、前記n個の検知要素の変動幅の和が実質的に一定であり、および／または前記n個の検知要素によって生成される出力の和が実質的に一定である、装置。
【請求項２】
前記n個の検知要素が該要素の長さより大きな周期で周期的に変動し、各要素が異なる位相を有しており、それにより長さに沿って一意的な出力信号を生成するようになっている、請求項１記載の二次元の容量性センサー装置。
【請求項３】
請求項１または２に記載の二次元の容量性センサー装置であって、前記n個の検知要素が前記第一軸に実質的に垂直なある第二軸に沿った第二の位置を決定するために使用され、および／または、前記n個の波形がn個の位相を有し；および／または：前記n個の検知要素がsinθの波形1個および該sinθの波形からオフセットされている波形n−1個を有し；および／または、前記第一軸に沿った前記第一の位置がn個の検知要素信号を使って決定され；  前記第一軸に沿った前記第一の位置が三角関数を使って決定されることを特徴とする、装置。
【請求項４】
変動幅を有する第一の検知要素と、
変動幅を有する第二の検知要素と、
変動幅を有する第三の検知装置とを有する、請求項１または２に記載の、n＝3とした二次元の容量性センサー装置であって、
前記第一の検知要素、第二の検知要素および第三の検知要素の変動幅の和が実質的に一定である、装置。
【請求項５】
前記第一の検知要素がsinθの波形を有し、
前記第二の検知要素が前記sinθの波形からオフセットされた波形を有し、
前記第三の検知要素が前記sinθの波形からオフセットされた波形を有する、
ことを特徴とする、請求項４記載の二次元の容量性センサー装置。
【請求項６】
変動幅を有する第四の検知要素と、
変動幅を有する第五の検知要素と、
変動幅を有する第六の検知装置とをさらに有する、請求項４記載の二次元の容量性センサー装置であって、
前記第四、第五および第六の検知要素が、前記第一の検知要素に実質的に平行であり、前記第一軸に沿った前記第一の位置を決定するために前記第一、第二、第三、第四、第五および第六の検知要素の重なりを必要としないように位置されることを特徴とする装置。
【請求項７】
請求項６記載の二次元の容量性センサー装置であって、前記第一、第二、第三、第四、第五および第六の検知要素が、前記第一軸と平行でないある第二軸に沿った第二の位置を決定するために使われ、および／または：
前記第一、第二および第三の検知要素がそれぞれある第一の正弦波波形を有し、
前記第四、第五および第六の検知要素がそれぞれある第二の正弦波波形を有し、ここで前記第一の正弦波波形が前記第二の正弦波波形よりも低周波数である、装置。
【手続補正２】
【補正対象書類名】明細書
【補正対象項目名】０００３
【補正方法】変更
【補正の内容】
【０００３】
もう一つの検知技術は、互いに重なり合う伝導性要素のグリッドを使う。この設計は信号解釈の容易さをもたらすものの、これも製造コストが高いという欠点がある。さらなる欠点は、多層センサーに関わる。各層が容量性検知タッチスクリーンの光学的明澄度を劣化させるからである。
【特許文献１】米国特許第６，２９７，８１１号明細書
【特許文献２】米国特許第６，６６７，７４０Ｂ２号明細書
【特許文献３】米国特許第６，６１０，９３６Ｂ２号明細書
【特許文献４】米国特許第６，４８９，８９９Ｂ１号明細書
【特許文献５】米国特許第６，４１４，６７１Ｂ１号明細書
【特許文献６】米国特許第６，３８０，９３１Ｂ１号明細書
【特許文献７】米国特許第６，２３９，３８９Ｂ１号明細書
【特許文献８】米国特許第６，１８８，３９１Ｂ１号明細書
【特許文献９】米国特許第６，０２８，２７１号明細書
【特許文献１０】米国特許第５，９２０，３１０号明細書
【特許文献１１】米国特許第５，９１４，４６５号明細書
【特許文献１２】米国特許第５，８８０，４１１号明細書
【特許文献１３】米国特許第５，８４１，０７８号明細書
【特許文献１４】米国特許第５，６４８，６４２号明細書
【特許文献１５】米国特許第５，５４３，５９１号明細書
【特許文献１６】米国特許第５，５４３，５９０号明細書
【特許文献１７】米国特許第５，４９５，０７７号明細書
【特許文献１８】米国特許第５，３７４，７８７号明細書
【特許文献１９】米国特許出願公開第２００３／００２８３４６Ａ１号明細書
【特許文献２０】米国特許第４，０８７，６２５号明細書
【特許文献２１】米国特許第４，２６４，９０３号明細書
【特許文献２２】国際公開第０３／０８８１７６Ａ１号明細書
【特許文献２３】米国特許第５，６５０，５９７号明細書
【特許文献２４】米国特許第６，８７９，９３０号明細書
【特許文献２５】米国特許第６，２８８，７０７号明細書
【特許文献２６】米国特許第５，５３４，８８６号明細書
【特許文献２７】米国特許第６，１３３，７４３号明細書
【特許文献２８】米国特許第５，０５３，７１５号明細書
【特許文献２９】米国特許第５，５３４，８８６号明細書
【特許文献３０】米国特許第４，７４３，８３８号明細書
【特許文献３１】米国特許第６，３４６，８１８号明細書
【手続補正書】
【提出日】平成20年5月29日(2008.5.29)
【手続補正１】
【補正対象書類名】特許請求の範囲
【補正対象項目名】全文
【補正方法】変更
【補正の内容】
【特許請求の範囲】
【請求項１】
相対的に輝度がより大きな少なくとも２つのカラー・サブ画素と、相対的に輝度がより小さな少なくとも２つのカラー・サブ画素とを含む異なる少なくとも４色のサブ画素からなるアレイを備えるカラー・ディスプレイ装置であって、
上記サブ画素が複数のグループに配列されて、異なる少なくとも２つのタイプの画素を形成し、それぞれのタイプの画素は、相対的に輝度がより大きな２つのカラー・サブ画素と、相対的に輝度がより小さな２つのカラー・サブ画素の少なくとも一方とを含んでいることと、それぞれのタイプの画素は、各画素における相対的に輝度がより大きな２つのカラー・サブ画素の相対位置が、隣接する画素において繰り返され、相対的に輝度がより小さな２つのカラー・サブ画素のうちの少なくとも一方の相対位置が、隣接する少なくとも１つの画素において繰り返されていないというパターンで配置されていることを特徴とするディスプレイ装置。
【請求項２】
異なる２つのタイプの上記画素のそれぞれが、相対的に輝度がより小さな２つのカラー・サブ画素を備えていることと、その２つのタイプの画素は、相対的に輝度がより小さな上記２つのカラー・サブ画素の相対位置が、連続した画素行および／または画素列の隣接した画素間で互いに入れ代わるように配置されていることを特徴とする、請求項１に記載のディスプレイ装置。
【請求項３】
異なる２つのタイプの各画素から、輝度が相対的に低い２つのカラー・サブ画素のうちの異なる１つのカラー・サブ画素が除外されていて、その２つのタイプの画素は、除外された輝度が相対的に低いそのカラー・サブ画素が、連続した画素行または画素列の隣接した画素において互いに入れ代わるように配置されている、請求項１に記載のディスプレイ装置。
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
多ポート型可変光減衰構造であって、
入力された光信号を処理し、処理された第１処理光信号を出力する第１光信号処理手段と、
前記処理された第１処理光信号を前記第１光信号処理手段から受領し、受領した前記第１光処理信号を順応式に処理して、処理された第２処理光信号を出力する第２光信号処理手段と、
前記処理された第２処理光信号を受領し、前記処理された第２処理光信号を所定方式で処理して減衰信号を出力する第３光信号処理手段と、
を含んでいることを特徴とする構造。
【請求項２】
第１光信号処理手段は、入力された光信号をフィルタリングして偏光することで処理する光導波アレイと偏光手段とを含んでいることを特徴とする請求項１記載の構造。
【請求項３】
光導波アレイは、バンドパス光フィルタリングでシングルモード操作を維持するように設計されたフォトニクスクリスタルファイバアレイであることを特徴とする請求項２記載の構造。
【請求項４】
光導波アレイは、光偏光を維持し、バンドパス光フィルタリングでシングルモード操作を提供し、光出力をさらにファイバーの数字アパーチャが増加する高密度でスムーズな三次元の光非均等状態に濃縮処理し、二次元偏光維持式のテーパしたフォトニクスクリスタルファイバアレイを含んでいることを特徴とする請求項３記載の構造。
【請求項５】
第３光信号処理手段は、所定方式処理が処理された第１処理光信号の偏光に対して垂直である偏光の光のみを通過させることに関与するように、偏光手段に対して９０°回転した分析フィルムであることを特徴とする請求項２記載の構造。
【請求項６】
偏光手段は第１光信号処理手段と第２光信号処理手段との間にアレンジされ、前記第２光信号処理手段が第１処理光信号を受領する前に前記第１光信号処理手段によって発生された個々の信号を偏光することを特徴とする請求項２記載の構造。
【請求項７】
第２光信号処理手段は光磁気フィルムを含んでいることを特徴とする請求項１記載の構造。
【請求項８】
光磁気フィルムはＢｉ‐ＹＩＧフィルムであることを特徴とする請求項７記載の構造。
【請求項９】
光磁気フィルムは受領した第１処理光信号を順応式に処理するために一体化された一体型スイッチ回路によって駆動されることを特徴とする請求項７記載の構造。
【請求項１０】
一体型スイッチ回路はフィルムコアでエッチング加工されるか、あるいはフィルム面に堆積され、二次元磁界プロフィールを発生させることを特徴とする請求項９記載の構造。
【請求項１１】
一体型スイッチ回路は第１処理光信号の拡散方向に沿って任意の磁界を発生させ、第２処理光信号を生成するために前記第１処理光信号の偏光を回転させる微小コイルアレイを含んでいることを特徴とする請求項９記載の構造。
【請求項１２】
第２光信号処理手段と第３光信号処理手段との間に提供された永久磁石と、微小コイルアレイによって発生する磁界に対して追加の永久磁界を適用する第３光信号処理手段とを含んでおり、前記永久磁界は第１処理光信号、第２処理光信号及び第３処理光信号の拡散方向に対して平行であることを特徴とする請求項１１記載の構造。
【請求項１３】
第１光信号処理手段、第２光信号処理手段及び第３光信号処理手段は一体に形成され、一体構造を提供することを特徴とする請求項１記載の構造。
【請求項１４】
入力光信号を処理して減衰された出力信号を発生させる方法であって、
入力光信号を偏光してフィルタリングし、処理された第１処理光信号を発生させるステップと、
第１処理光信号の偏光を任意に回転させ、処理された第２処理光信号を発生させるステップと、
回転角度に応じて前記第２処理光信号の可変部分を通過させ、減衰された出力信号を提供するステップと、
を含んでいることを特徴とする方法。
【請求項１５】
第１処理光信号に任意回転を実行する磁界プロフィールを発生させるように微小コイルを介して供給される電流を制御するステップと、
前記回転により前記第１処理光信号の個別要素の偏光量を調整させ、第２処理光信号を提供するステップと、
前記第２処理光信号を分析して可変光減衰を提供するステップと、
を含んでいることを特徴とする請求項１４記載の方法。
【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
a)  ポンプ・ビーム光を生成するためのバックライト・ユニット；
b)  i)  画素間領域よりも高い正味利得を有する間隔を開けたレーザー画素のアレイを提供するように、第1の底部誘電スタック部分の頂面内に選択的に形成されたエッチ領域と；
ii)  該ポンプ・ビーム光に応答して異なる有色光を生成するための部分を含むアクティブ領域と
を含む垂直キャビティ・レーザー・アレイ・デバイス
c)  光シャッター；及び
d)  該選択された有色光のビューのアンギュラー・コーンを増大させるための、該光シャッターの上に配置されたビーム拡大器
を含む有色画素化光を生成するディスプレイ装置。
【請求項２】
a)  ポンプ・ビーム光を生成するためのバックライト・ユニット；
b)  i)  透明基板と；
ii)  該基板上に配置された、所定の波長範囲全体にわたる光に対して反射性の第1の底部誘電スタック部分と；
iii)  画素間領域よりも高い正味利得を有する間隔を開けたレーザー画素のアレイを提供するように、該第1の底部誘電スタック部分の頂面内に選択的に形成された、エッチ領域と；
iv)  該エッチングされた第1の底部誘電スタック部分上に形成された第2の底部誘電スタック部分と；
v)  該ポンプ・ビーム光に応答して異なる有色光を生成するための部分を含むアクティブ領域と；
vi)  該底部誘電スタックから間隔を開けた、所定の波長範囲全体にわたる光に対して反射性の上部誘電スタックと
を含む垂直キャビティ・レーザー・アレイ・デバイス；
c)  該垂直キャビティ・レーザー・アレイ・デバイスからの選択された有色光が通過することを可能にするための光シャッター；及び
d)  該選択された有色光のビューのアンギュラー・コーンを増大させるための、該光シャッターの上に配置されたビーム拡大器
を含む有色画素化光を生成するディスプレイ装置。
【手続補正書】
【提出日】平成20年6月12日(2008.6.12)
【手続補正１】
【補正対象書類名】明細書
【補正対象項目名】００３４
【補正方法】変更
【補正の内容】
【００３４】
【図１Ａ】半導体量子井戸層に形成された歪みのない正孔の量子井戸に対する従来技術の半導体量子井戸構造及び関連したエネルギーバンド図を示す線図である。
【図１Ｂ】半導体量子井戸層に形成された圧縮歪みがある正孔の量子井戸に対する従来技術の半導体量子井戸構造及び関連したエネルギーバンド図を示す線図である。
【図１Ｃ】半導体量子井戸層に形成された引張歪みがある正孔の量子井戸に対する従来技術の半導体量子井戸構造及び関連したエネルギーバンド図を示す線図である。
【図２】交互に配置されている重い正孔及び軽い正孔の価電子帯量子井戸に対する障壁層及び量子井戸層として機能する一連の半導体層を有する半導体量子井戸構造の実施形態と、関連するエネルギーバンド図を示す線図である。
【図３Ａ】タイプIのエネルギーバンド配列を示すヘテロ接合に対する重い正孔のエネルギーバンド図である。
【図３Ｂ】タイプIIのエネルギーバンド配列を示すヘテロ接合に対する軽い正孔のエネルギーバンド図である。
【図４】図２に示す半導体量子井戸構造の形態を組み込む電界吸収型光変調器の形態を示す線図である。
【図５Ａ】電気的導電性材料からなる連続ストリップより形成されている単一の電極を有する、図４の電界吸収型光変調器の実施形態の平面図である。
【図５Ｂ】中間マイクロストリップ線により直列に接続されている電気的導電性材料からなる複数の隔置された電極セグメントから形成されている単一の電極を有する、図４の電界吸収型光変調器の実施形態の平面図である。
【図６】図４の電界吸収型光変調器の実施形態を製造する方法の形態を示す流れ図である。
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
グリッド・リソース・アロケータからジョブ環境要件セットを受け取るための入力であって、前記ジョブ環境要件はグリッド・コンピューティング環境内でジョブを実行するために必要な１つまたは複数のパラメータを示し、前記パラメータはオペレーティング・システム、アプリケーション・プログラム、およびソフトウェア・ドライバのグループから選択された１つまたは複数の基準を含む、入力と、
現在ジョブ・コンピューティング環境内に構成されていない１つまたは複数の必要なリソースが使用可能であるかどうかを判定するために、グリッド・カタログおよびストレージ・サブシステムにアクセスするためのカタログ・クエリアであって、前記カタログは、使用可能なオペレーティング・システム用のインストール・イメージ、アプリケーション・プログラム用のインストール・プログラム、およびソフトウェア・ドライバ用のインストール・プログラムの、１つまたは複数のインデックスを含む、カタログ・クエリアと、
前記グリッド・コンピューティング環境内で好適な使用可能ハードウェア・プラットフォームを選択するように、前記カタログから１つまたは複数のインデックスを受け取るように、および、前記ジョブ環境要件に合致するコンピューティング環境を作成するために、前記ハードウェア・プラットフォーム上で１つまたは複数のソフトウェア・インストール・オペレーションを実行するように、構成された環境ビルダと、
を有する、グリッド・コンピューティング環境内でコンピューティング環境を動的に構築するための論理デバイス。
【請求項２】
必要なコンピューティング環境がある動作目的および規則に合致するかどうかを判定し、合致しない場合は、前記環境ビルダが前記コンピューティング環境を構築しないように構成された、構築ケース・エバリュエータをさらに有する、請求項１に記載の論理デバイス。
【請求項３】
前記エバリュエータが、リソース活動化料金を評価するように、コンピューティング環境が構築された場合に発生する合計料金を計算するように、および、前記合計料金と収益目標とを比較するように構成される、請求項２に記載の論理デバイス。
【請求項４】
前記エバリュエータが、ハードウェア・リソース、ハードウェア保守コスト、およびライセンス交付料金の活動化のための、料金グループから選択されたリソース活動化料金を評価するように構成される、請求項３に記載の論理デバイス。
【請求項５】
さらに前記エバリュエータが、前記合計料金と前記収益目標との比較が所定の目標に合致しないとの判定に応答して、ジョブの売却プロセスを開始するように構成される、請求項３に記載の論理デバイス。
【請求項６】
前記カタログが、オペレーティング・システムおよび１つまたは複数のアプリケーション・プログラムを含むバンドル用に組み合わされたインストール・イメージをさらに有する、請求項１に記載の論理デバイス。
【請求項７】
前記パラメータがオペレーティング・システム用の保守レベル要件をさらに有する、請求項１に記載の論理デバイス。
【請求項８】
前記パラメータがオペレーティング・システム用の更新レベル要件をさらに有する、請求項１に記載の論理デバイス。
【請求項９】
グリッド・リソース・アロケータからジョブ環境要件セットを受け取るステップであって、前記ジョブ環境要件はグリッド・コンピューティング環境内でジョブを実行するために必要な１つまたは複数のパラメータを示し、前記パラメータはオペレーティング・システム、アプリケーション・プログラム、およびソフトウェア・ドライバのグループから選択された、１つまたは複数の基準を含む、受け取るステップと、
現在ジョブ・コンピューティング環境内に構成されていない１つまたは複数の必要なリソースが使用可能であるかどうかを判定するために、グリッド・カタログおよびストレージ・サブシステムにアクセスするステップであって、前記カタログは、使用可能なオペレーティング・システム用のインストール・イメージ、アプリケーション・プログラム用のインストール・プログラム、およびソフトウェア・ドライバ用のインストール・プログラムの、１つまたは複数のインデックスを含む、アクセスするステップと、
前記グリッド・コンピューティング環境内で好適な使用可能ハードウェア・プラットフォームを選択するステップと、
前記カタログから１つまたは複数のインデックスを受け取るステップと、
前記ジョブ環境要件に合致するコンピューティング環境を作成するために、前記選択されたハードウェア・プラットフォーム上で１つまたは複数のソフトウェア・インストール・オペレーションを実行するステップと、
を有する、グリッド・コンピューティング環境内でコンピューティング環境を動的に構築するための方法。
【請求項１０】
請求項９に記載の方法の各ステップをコンピュータに実行させるプログラム。
【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
ルックアップ・キャッシュにおいてオブジェクトを維持するための方法であって、
第１複数のオブジェクトの順不同リストである主リストに前記第１複数のオブジェクトを置くステップであって、前記主リストが前記第１複数のオブジェクトの無番号リストであるステップと、
第２複数のオブジェクトの順序付きリストである副リストに前記第２複数のオブジェクトを置くステップであって、前記副リストが前記第２複数のオブジェクトの番号付きリストであるステップと、
定期的に前記第１複数のオブジェクトのうちの少なくとも１つのオブジェクトを前記副リストに降格させるステップと、
前記第２複数のオブジェクトのうちの少なくとも１つのオブジェクトを前記主リストに昇格させるステップと、
を含む方法。
【請求項２】
第１オブジェクトを求めるリクエストを受け取ったことに応答して、前記第１オブジェクトを目的として前記主リストを探索するステップを更に含む、請求項１に記載の方法。
【請求項３】
前記第１オブジェクトが前記主リストに含まれていないという判断に応答して、前記第１オブジェクトを目的として前記副リストを探索するステップを更に含む、請求項２に記載の方法。
【請求項４】
前記第１オブジェクトが前記副リストに置かれているという判断に応答して、前記第１オブジェクトが前記副リストの頭オブジェクトとして置かれるように前記副第２リストを変更するステップを更に含む、請求項３に記載の方法。
【請求項５】
前記第１オブジェクトが前記副リストに置かれていないという判断に応答して、前記第１オブジェクトを目的としてグローバル探索を実行するステップと、前記グローバル探索によって前記第１オブジェクトの位置を突き止めたことに応答して、前記第１オブジェクトが前記副リストの頭オブジェクトとして置かれるように前記副リストを変更するステップとを更に含む、請求項３に記載の方法。
【請求項６】
前記第２複数のオブジェクトのうちの前記少なくとも１つのオブジェクトは、前記副リストの頭オブジェクトを含む、請求項１に記載の方法。
【請求項７】
前記第１複数のオブジェクトのうちの前記少なくとも１つのオブジェクトは、前記第２複数のオブジェクトのうちの前記少なくとも１つのオブジェクトより低い頻度で使用されるものとしてと特定される、請求項１に記載の方法。
【請求項８】
ルックアップ・キャッシュを管理するためのコンピュータ可読媒体に存するコンピュータ・プログラムであって、請求項１ないし７のうちのいずれか１つの前記ステップをコンピュータに実行させるためのするためのプログラム・コードを含む、コンピュータ・プログラム。
【請求項９】
命令のセットと、第１複数の順不同無番号オブジェクトを有する第１データ構造及び第２複数の番順序号付きオブジェクトを有する第２データ構造を含むルックアップ・キャッシュとを包含むするメモリーと、
前記命令のセットの実行に応答して、定期的に前記第１複数のオブジェクトのうちの少なくとも１つを前記第１データ構造主リストから前記第２データ構造副リストに降格させると共に前記第２複数のオブジェクトのうちの少なくとも１つのオブジェクトを前記第２データ構造副リストから前記第１データ構造主リストに昇格させる処理ユニットと、
を含むデータ処理システム。
【請求項１０】
前記第１データ構造及び前記第２データ構造は、各々、夫々のリンク・リスト・データ構造を含む、請求項９に記載のデータ処理システム。
【請求項１１】
前記処理ユニットは複数の処理ユニットのうちの１つであり、前記複数の処理ユニットの各々は前記ルックアップ・キャッシュへのアクセスを有する、請求項９に記載のデータ処理システム。
【請求項１２】
前記命令のセットは前記第２複数のオブジェクトを順序に番号を付けるためのＬＲＵアルゴリズムを含む、請求項９に記載のデータ処理システム。
【請求項１３】
前記処理ユニットは、第１オブジェクトを求めるリクエストの受け取りに応答して前記第１オブジェクトを目的として前記第１データ構造主リストを探索し、前記第１オブジェクトが前記第１データ構造主リストに置かれていないという判断に応答して前記第１オブジェクトを目的として前記第２データ構造副リストを探索する、請求項９に記載のデータ処理システム。